(57)【要約】  【課題】給水装置を備えた冷蔵庫に関し、貯水タンクに給水された水をすばやく冷却し、低温に保温することを図る。  【解決手段】扉８を備えた冷蔵庫本体７の庫内側上部に、内側に冷凍室９を形成する蒸発器１３が配置されており、蒸発器１３と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の上部に配置されるように蒸発器１３に接合された冷却板１２を構成することで、冷却板１２の下部に配置された貯水タンク１０が冷却され、貯水タンク１０に給水された水をすばやく冷却し、低温に保温することができる。【選択図】図１
2006234215.tif 000002
【特許請求の範囲】
【請求項１】
扉を有する冷蔵庫に備えつけられる給水装置であって、前記冷蔵庫の内部に備えられる貯水タンクと、前記貯水タンクに貯水された水を前記冷蔵庫の前記扉の外部へと移動させる一端が前記貯水タンクに接続され、他端が前記冷蔵庫の前記扉の外部に配置されるパイプとを有する給水装置において、前記貯水タンクの上部に配置されるように冷却板を蒸発器に接合したことを特徴とした給水装置を備えた冷蔵庫。
【請求項２】
貯水タンクの上部に蒸発器の一部が配置されることを特徴とした請求項１に記載の給水装置を備えた冷蔵庫。
【請求項３】
貯水タンクの上部に、前記冷蔵庫の庫内側に配置された前記貯水タンクを冷却するための専用蒸発器を備えたことを特徴とした請求項１に記載の給水装置を備えた冷蔵庫。
【請求項４】
貯水タンクの上部に、前記冷蔵庫の本体側に埋設された前記貯水タンクを冷却するための専用蒸発器を備えたことを特徴とした請求項１に記載の給水装置を備えた冷蔵庫。
【請求項５】
貯水タンクの上部に、冷却板の水受けを備えた請求項１から請求項４のいずれか一項に記載の給水装置を備えた冷蔵庫。
【請求項６】
前記水受けに冷気を対流させるための穴を備えた請求項５に記載の給水装置を備えた冷蔵庫。
【発明の詳細な説明】
【技術分野】
【０００１】
本発明は、冷蔵庫の扉の内側に配設された貯水タンクから扉の外側へ冷水を供給する給水装置を備えた冷蔵庫に関するものである。
【背景技術】
【０００２】
従来、この種の直冷式冷蔵庫の給水装置としては、冷蔵庫の扉の内側に貯水タンクを備え、前記給水タンクに貯水された水を前記冷蔵庫の扉の外側へと移動させるポンプと、一端が前記ポンプに接続され、他端が前記冷蔵庫の扉の外側に配置されるパイプとを有しているものがある（例えば、特許文献１参照）。
【０００３】
図８は、特許文献１に記載された従来の給水装置を備えた冷蔵庫を示すものである。図８に示すように冷蔵庫本体１の扉２と、貯水タンク３と、キャップ４と、給水パイプ５と、給水ポンプ６とから構成されている。
【０００４】
以上のように構成された給水装置を備えた冷蔵庫について、以下その動作を説明する。
【０００５】
まず、冷蔵庫本体１の扉２が開かれ、貯水タンク３のキャップ４が外され、水が給水される。その後、扉２が閉られ、貯水タンク３に給水された水が冷却される。冷却された冷水は、給水ポンプ６により、給水パイプ５を経由して扉２の外側へ給水される。
【特許文献１】特開２００３−２０７２６６号公報
【発明の開示】
【発明が解決しようとする課題】
【０００６】
しかしながら、上記従来の構成では、扉に配置された貯水タンクを冷蔵庫庫内の冷気で冷却するため、貯水タンクに給水された水をすばやく冷却することができず、また、冷蔵庫庫内を凍結しない温度に調節しつつ、貯水タンクの水を低温（約０℃）に保温できないという課題を有していた。
【０００７】
本発明は従来の課題を解決するもので、貯水タンクに給水された水をすばやく冷却し、低温（約０℃）に保温することができるようにした給水装置を備えた冷蔵庫を提供することを目的とする。
【課題を解決するための手段】
【０００８】
上記従来の課題を解決するために、本発明の給水装置を備えた冷蔵庫は、冷蔵庫の内部に備えられる貯水タンクと、前記貯水タンクに貯水された水を前記冷蔵庫の前記扉の外部へと移動させる一端が前記貯水タンクに接続され、他端が前記冷蔵庫の前記扉の外部に配置されるパイプとを有する給水装置において、前記貯水タンクの上部に配置されるように冷却板を蒸発器に接合したものである。
【０００９】
これによって、蒸発器によって冷却された冷却板により、貯水タンクの冷却能力を高めることができる。
【発明の効果】
【００１０】
本発明の給水装置を備えた冷蔵庫は、貯水タンクの水をすばやく冷却し、低温に保温することができる。
【発明を実施するための最良の形態】
【００１１】
請求項１に記載の発明は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる一端が前記貯水タンクに接続され、他端が前記冷蔵庫の前記扉の外部に配置されるパイプとを有する給水装置において、前記貯水タンクの上部に配置されるように冷却板を蒸発器に接合したものであり、貯水タンクの冷却能力を高めることができ、貯水タンクの水をすばやく冷却し、低温に保温することができる。
【００１２】
請求項２に記載の発明は、請求項１に記載の発明において、貯水タンクの上部に蒸発器の一部が配置されるものであり、さらに貯水タンクの冷却能力を高めることができ、貯水タンクの水をすばやく冷却し、低温に保温することができる。
【００１３】
請求項３に記載の発明は、請求項１に記載の発明において、貯水タンクの上部に、前記冷蔵庫の庫内側に配置された前記貯水タンクを冷却するための専用蒸発器を備えたものであり、さらに貯水タンクの冷却能力を高めることができ、貯水タンクの水をすばやく冷却し、低温に保温することができる。
【００１４】
請求項４に記載の発明は、請求項１に記載の発明において、貯水タンクの上部に、前記冷蔵庫の本体側に埋設された前記貯水タンクを冷却するための専用蒸発器を備えたものであり、さらに貯水タンクの冷却能力を高めることができ、貯水タンクの水をすばやく冷却し、低温に保温することができる。
【００１５】
請求項５に記載の発明は、請求項１から請求項４のいずれか一項に記載の発明において、貯水タンクの上部に、冷却板の水受けを備えたものであり、冷蔵庫本体の庫内側に水滴が滴下するのを防ぐことができる。
【００１６】
請求項６に記載の発明は、請求項５に記載の発明において、前記水受けに冷気を対流させるための穴を備えたものであり、冷蔵庫本体の庫内側に水滴が滴下するのを防ぎながら、貯水タンクの冷却能力を高めることができ、貯水タンクの水をすばやく冷却し、低温に保温することができる。
【００１７】
以下、本発明の実施の形態について、図面を参照しながら説明する。なお、この実施の形態によってこの発明が限定されるものではない。
【００１８】
（実施の形態１）
図１は、本発明の実施の形態１における給水装置を備えた冷蔵庫の断面図である。
【００１９】
図１において、扉８を備えた冷蔵庫本体７の庫内側上部に、内側に冷凍室９を形成する蒸発器１３が配置されており、蒸発器１３と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の上部に配置されるような形状の蒸発器１３に接合された冷却板１２で構成されている。
【００２０】
以上のように構成された給水装置を備えた冷蔵庫について、以下その動作、作用を説明する。
【００２１】
まず、冷蔵庫本体７の冷却運転が始まると、蒸発器１３が冷却される。この時、蒸発器１３に接合された冷却板１２も同時に冷却される。冷却された冷却板１２により、冷却板１２の下部に配置された貯水タンク１０が冷却され、貯水タンク１０に給水された水をすばやく冷却し、低温に保温することができる。
【００２２】
（実施の形態２）
図２は、本発明の実施の形態２における給水装置を備えた冷蔵庫の断面図である。
【００２３】
図２において、扉８を備えた冷蔵庫本体７の庫内側上部に、内側に冷凍室９を形成する蒸発器１４が配置されており、蒸発器１４相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、蒸発器１４の一部は貯水タンク１０の上部に配置されるような形状で構成されている。
【００２４】
以上のように構成された給水装置を備えた冷蔵庫について、以下その動作、作用を説明する。
【００２５】
まず、冷蔵庫本体７の冷却運転が始まると、蒸発器１４が冷却される。冷却された蒸発器１４により、蒸発器１４の下部に配置された貯水タンク１０が冷却され、貯水タンク１０に給水された水をすばやく冷却し、低温に保温することができる。
【００２６】
（実施の形態３）
図３は、本発明の実施の形態３における給水装置を備えた冷蔵庫の断面図である。
【００２７】
図３において、扉８を備えた冷蔵庫本体７の庫内側上部に、内側に冷凍室９を形成する蒸発器１３が配置されており、蒸発器１３と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の上部の庫内側に貯水タンク１０を冷却する専用蒸発器１５が配置されるように構成されている。
【００２８】
以上のように構成された給水装置を備えた冷蔵庫について、以下その動作、作用を説明する。
【００２９】
まず、冷蔵庫本体７の冷却運転が始まると、蒸発器１３とともに専用蒸発器１５が冷却される。冷却された専用蒸発器１５により、専用蒸発器１５の下部に配置された貯水タンク１０が冷却され、貯水タンク１０に給水された水をすばやく冷却し、低温に保温することができる。
【００３０】
（実施の形態４）
図４は、本発明の実施の形態４における給水器装置を備えた冷蔵庫の断面図である。
【００３１】
図４において、扉８を備えた冷蔵庫本体７の庫内側上部に、内側に冷凍室９を形成する蒸発器１３が配置されており、蒸発器１３と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の上部の冷蔵庫本体７に貯水タンク１０を冷却する専用蒸発器１６が埋設されるように構成されている。
【００３２】
以上のように構成された給水装置を備えた冷蔵庫について、以下その動作、作用を説明する。
【００３３】
まず、冷蔵庫本体７の冷却運転が始まると、蒸発器１３とともに専用蒸発器１６が冷却される。冷却された専用蒸発器１６により、専用蒸発器１６の下部に配置された貯水タンク１０が冷却され、貯水タンク１０に給水された水をすばやく冷却し、低温に保温することができる。
【００３４】
（実施の形態５）
図５は、本発明の実施の形態５における給水装置を備えた冷蔵庫の断面図である。
【００３５】
図５において、扉８を備えた冷蔵庫本体７の庫内側上部に、内側に冷凍室９を形成する蒸発器１３が配置されており、蒸発器１３と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の上部に配置されるような形状の蒸発器１３に接合された冷却板１２と、貯水タンク１０の上部で冷却板１２の下部に冷却板１２に結露し滴下した結露水を受けるための水受け１７で構成されている。
【００３６】
以上のように構成された給水装置を備えた冷蔵庫について、以下その動作、作用を説明する。
【００３７】
まず、冷蔵庫本体７の冷却運転が始まると、蒸発器１３が冷却される。この時、蒸発器３に接合された冷却板１２も同時に冷却される。冷却された冷却板１２には水滴が付着し、下方の庫内へ滴下するため、冷却板１２の下部に水受け１７を配置することにより、冷蔵庫本体７の庫内に水滴を滴下させることなく、冷却された冷却板１２により、冷却板１２の下部に配置された貯水タンク１０が冷却され、貯水タンク１０に給水された水をすばやく冷却し、低温に保温することができる。
【００３８】
（実施の形態６）
図６は、本発明の実施の形態６における給水装置を備えた冷蔵庫の断面図、図７は、本発明の実施の形態６における給水装置を備えた冷蔵庫の水受けの傾斜図である。
【００３９】
図６において、扉８を備えた冷蔵庫本体７の庫内側上部に、内側に冷凍室９を形成する蒸発器１３が配置されており、蒸発器１３と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の上部に配置されるような形状の蒸発器１３に接合された冷却板１２と、貯水タンク１０の上部で冷却板１２の下部に冷却板１２に結露し滴下した結露水を受け、冷却板１２の冷気を下方へ対流させるための穴を備えた水受け１８で構成されている。
【００４０】
以上のように構成された給水装置を備えた冷蔵庫について、以下その動作、作用を説明する。
【００４１】
まず、冷蔵庫本体７の冷却運転が始まると、蒸発器１３が冷却される。この時、蒸発器１３に接合された冷却板１２も同時に冷却される。冷却された冷却板１２には水滴が付着し、下方の庫内へ滴下するため、冷却板１２の下部に冷気を落とすための穴を備えた水受け１８を配置することにより、冷蔵庫本体７の庫内に水滴を滴下させることなく、冷却された冷却板１２の冷気を貯水タンク１０側へ落とし、冷却板１２の下部に配置された貯水タンク１０が冷却され、貯水タンク１０に給水された水をすばやく冷却し、低温に保温することができる。
【産業上の利用可能性】
【００４２】
以上のように、本発明にかかる給水装置を備えた冷蔵庫は、直冷式冷蔵庫の貯水タンクの水をすばやく冷却し、低温に保温することが可能となるので、直冷式冷蔵庫の給水器装置等の用途に適用できる。
【図面の簡単な説明】
【００４３】
【図１】本発明の実施の形態１における給水装置を備えた冷蔵庫の断面図
【図２】本発明の実施の形態２における給水装置を備えた冷蔵庫の断面図
【図３】本発明の実施の形態３における給水装を備えた冷蔵庫置の断面図
【図４】本発明の実施の形態４における給水装置を備えた冷蔵庫の断面図
【図５】本発明の実施の形態５における給水装置を備えた冷蔵庫の断面図
【図６】本発明の実施の形態６における給水装置を備えた冷蔵庫の断面図
【図７】本発明の実施の形態６における給水装置を備えた冷蔵庫の水受けの傾斜図
【図８】従来の給水装置を備えた冷蔵庫の断面図
【符号の説明】
【００４４】
７    冷蔵庫本体
８    扉
９    冷凍室
１０  貯水タンク
１１  パイプ
１２  冷却板
１３  蒸発器
１４  蒸発器
１５，１６  専用蒸発器
１７，１８  水受け
【図１】
2006234215.tif 000003
【図２】
2006234215.tif 000004
【図３】
2006234215.tif 000005
【図４】
2006234215.tif 000006
【図５】
2006234215.tif 000007
【図６】
2006234215.tif 000008
【図７】
2006234215.tif 000009
【図８】
2006234215.tif 000010